【事件の表示】
　特願２０１８−５２３６１５「マルチプレクサ，高周波フロントエンド回路および通信装置」拒絶査定不服審判事件〔平成２９年１２月２１日国際公開，ＷＯ２０１７／２１７１９７〕について，次のとおり審決する。
【結　論】
　本件審判の請求は，成り立たない。
【理　由】
　
１．手続の経緯
　本願は，２０１７年（平成２９年）５月２３日（優先権主張　平成２８年６月１４日）を国際出願日とする出願であって，平成３０年１１月１９日に手続補正がなされ，令和元年８月２８日付けで拒絶理由が通知され，令和元年１１月１日に手続補正がなされ，令和元年１１月２０日付けで拒絶理由が通知され，令和２年１月２７日に手続補正がなされ，令和２年２月２１日付けで拒絶査定がされ，令和２年６月２日に拒絶査定不服審判が請求されたものである。
２．本願発明
　本願の請求項４に係る発明（以下，「本願発明」という。）は，令和２年１月２７日の手続補正書の特許請求の範囲の請求項４に記載された事項により特定される，以下のとおりのものと認める。
「共通端子，第１入出力端子および第２入出力端子を有し，前記共通端子に接続された複数のフィルタを備えるマルチプレクサであって，
　前記共通端子と前記第１入出力端子との間に配置された１以上の弾性表面波共振子で構成され，第１通過帯域を有する第１のフィルタと，
　前記共通端子および前記第２入出力端子に接続され，前記第１通過帯域よりも周波数が高い第２通過帯域を有する第２のフィルタと，
　前記共通端子と前記第１のフィルタとの接続経路に直列に配置されたコンデンサと，を備え，
　前記コンデンサは，多層基板内の複数層で形成されている，または，前記多層基板上に配置されたチップコンデンサであり，
　前記多層基板は，前記第１のフィルタおよび前記第２のフィルタを実装するとともに，前記第１のフィルタと前記第２のフィルタとを接続する配線を含んでおり，
　前記第１のフィルタの前記１以上の弾性表面波共振子では，ＬｉＴａＯ３からなる圧電性の基板を伝搬するリーキー波が弾性表面波として利用される，又は，ＬｉＮｂＯ３からなる圧電性の基板を伝搬するラブ波が弾性表面波として利用される，
　マルチプレクサ。」
３．引用例及び周知例の記載事項並びに引用発明及び周知技術の認定
（１）原査定の拒絶の理由に引用された，国際公開第２００５／０８８８３５号（以下，「引用例１」という。）には，次の事項が記載されている（下線は，当審で付した。以下，同様。）。
「[0001]　本発明は，通過帯域が異なる第１，第２のフィルタを接続してなる分波器及び該分波器に用いられる弾性表面波フィルタに関し，より詳細には，温度特性が改善された構造を備える分波器及び該分波器に用いられる弾性表面波フィルタに関する。」
「[0040]　図１は，本発明の第１の実施形態に係る分波器の回路構成を示す図である。
　
本実施形態の分波器１は，アンテナ２に属される入力端子３を有する。入力端子３に，第１のフィルタ１１と，第２のフィルタ１２とが接続されている。第１のフィルタ１１は，通過帯域が相対的に低く，第２のフィルタ１２の通過帯域が相対的に高くされている。すなわち，分波器１では，第１のフィルタ１１が送信側帯域フィルタを，第２のフィルタ１２が受信側帯域フィルタを構成している。
[0041]　そして，本実施形態では，
第１のフィルタ１１は，直列腕共振子Ｓ１１〜Ｓ１３と，並列腕共振子Ｐ１１，Ｐ１２とを有するラダー型フィルタにより構成されている。
[0042]　なお，
入力端子３と直列腕共振子Ｓ１１との間には，コンデンサＣ１１が接続されている。
　第２のフィルタ１２は，第１のフィルタ１１と同様にラダー型回路構成を有する。すなわち，第２のフィルタ１２は，複数の直列腕共振子Ｓ２１〜Ｓ２３と，並列腕共振子Ｐ２１〜Ｐ２４とを有する。また，直列腕共振子Ｓ２３に並列にインダクタンス素子Ｌ２２が接続されている。」
「[0044]　なお，
第１のフィルタ１１に接続されているコンデンサ素子Ｃ１１は，整合素子である。
「[0052]　図４（ａ）及び（ｂ）は，上記実施形態の分波器１で用いられる第１のフィルタ１１及び第２のフィルタ１２の模式的正面断面図である。
　図４（ａ）に示す第１のフィルタ１１は，通過帯域が相対的に低い側のフィルタであり，本実施形態では，弾性表面波フィルタにより構成されている。ここでは，
第１のフィルタ１１は，圧電基板３１上にＩＤＴ電極などの電極３２を形成した構造を有する。
[0053]　なお，本実施形態では，
圧電基板３１は，ＬｉＴａＯ３基板により構成されている。
[0054]　図４（ｂ）に示す第２のフィルタ１２は，第２の圧電基板４１上に，ＩＤＴ電極などからなる電極４２を形成した構造を有する。電極４２を覆うように第２の温度特性改善薄膜４３が形成されている。第２のフィルタ１２においても，圧電基板４１は，ＬｉＴａＯ３からなり，電極４２は，Ｃｕを主成分とし，第２の温度特性改善薄膜４３はＳｉＯ２により構成されている。」
「[0058]　（実施例１）
　図１に示した実施形態の分波器１を以下の要領で作製した。なお，
第１のフィルタ１１が送信側フィルタ，第２のフィルタ１２が受信側フィルタである。
[0059]　上記システムでは，送信側帯域フィルタの通過帯域と，受信側帯域フィルタの通過帯域の周波数間隔は２０ＭＨｚと非常に狭い。従って，第１のフィルタ１１及び第２のフィルタ１２のいずれにおいても急峻なフィルタ特性が要求されるとともに，良好な周波数温度依存性が必要である。
[0060]　特に，送信側フィルタとなる第１のフィルタ１１は，受信側のフィルタ１２の通過帯域を減衰域とする必要があるため，第１のフィルタ１１の通過帯域の高域側における急峻性を高め，かつ通過帯域の高域側の温度依存性を改善することが強く求められる。
[0061]　他方，受信側フィルタである第２のフィルタ１２については，第１のフィルタ１１の通過帯域を減衰期とする必要があるので，第２のフィルタ１２の通過帯域の低域側における急峻性を高めるとともに，通過帯域の低域側の温度依存性を改善することが求められる。なお，第１，第２のフィルタ１１，１２を構成している直列腕共振子及び並列腕共振子としては，図６に示す電極構造を有する弾性表面波共振子を用いた。図６に示す電極構造５１は，ＩＤＴ電極５２と，ＩＤＴ電極５２の両側に配置された反射器５３，５４とを有する。圧電基板上にこの電極構造５１が形成され，１つの弾性表面波共振子が構成される。図１に示したように，
第１のフィルタ１１は，直列腕共振子Ｓ１１〜Ｓ１３及び並列腕共振子Ｐ１１，Ｐ１２を，第２のフィルタ１２は，直列腕共振子Ｓ２１〜Ｓ２３及び並列腕共振子Ｐ２１〜Ｐ２４を有する。これらの直列腕共振子Ｓ１１〜Ｓ１３，Ｓ２１〜Ｓ２３及び並列腕共振子Ｐ１１，Ｐ１２，Ｐ２１〜Ｐ２４が，
弾性表面波共振子によりそれぞれ構成されている。
「[0066]　なお，本実施例において，
第１，第２のフィルタ１１，１２は，同一の３６度Ｘ伝搬のＬｉＴａＯ３基板を用いて，単一のチップ部品として構成されている。
「[0076]　なお，本実施例では，
圧電基板として，
ＬｉＴａＯ３基板と同様の効果が得られるとして知られているＬｉＮｂＯ３基板などが用いられてもよい。
　上記によれば，引用例１には，
「分波器１であって，
　アンテナ２に属される入力端子３を有し，入力端子３に，第１のフィルタ１１と，第２のフィルタ１２とが接続され，第１のフィルタ１１は，通過帯域が相対的に低く，第２のフィルタ１２の通過帯域が相対的に高くされており，第１のフィルタ１１が送信側帯域フィルタを，第２のフィルタ１２が受信側帯域フィルタを構成しており，
　第１のフィルタ１１は，直列腕共振子Ｓ１１〜Ｓ１３と，並列腕共振子Ｐ１１，Ｐ１２とを有するラダー型フィルタにより構成され，
　入力端子３と直列腕共振子Ｓ１１との間には，コンデンサＣ１１が接続され，
　コンデンサ素子Ｃ１１は，整合素子であり，
　第１のフィルタ１１は，圧電基板３１上にＩＤＴ電極などの電極３２を形成した構造を有し，圧電基板３１は，ＬｉＴａＯ３基板により構成され，
　第１のフィルタ１１が送信側フィルタ，第２のフィルタ１２が受信側フィルタであり，
　第１のフィルタ１１は，直列腕共振子Ｓ１１〜Ｓ１３及び並列腕共振子Ｐ１１，Ｐ１２を有し，これらの直列腕共振子Ｓ１１〜Ｓ１３及び並列腕共振子Ｐ１１，Ｐ１２が，弾性表面波共振子によりそれぞれ構成され，
　第１，第２のフィルタ１１，１２は，同一の３６度Ｘ伝搬のＬｉＴａＯ３基板を用いて，単一のチップ部品として構成されており，
　圧電基板として，ＬｉＮｂＯ３基板などが用いられてもよい
　分波器１。」
　が記載されている。（以下，「引用発明」という。）
（２）特許第５７６８９５１号公報（以下，「周知例１」という。）には，以下の記載がある。
「【０００１】
　本発明は，例えばデュプレクサなどに用いられるフィルタ装置に関する。」
「【００６９】
　なお，
本発明は送信信号と受信信号とをフィルタにより分波するデュプレクサに適用できるだけでなく，２つ以上の信号を分波するマルチプレクサにも適用できる。さらに，本発明は，送信信号同士，あるいは受信信号同士をフィルタにより分波するダイプレクサにも適用できる。各フィルタは，ラダー型弾性波フィルタのみによって構成されても
よい。
　したがって，周知例１によれば，
「送信信号と受信信号とをフィルタにより分波するデュプレクサなどに用いられるラダー型弾性波フィルタによって構成されるフィルタ装置は，２つ以上の信号を分波するマルチプレクサや，送信信号同士，あるいは受信信号同士をフィルタにより分波するダイプレクサにも適用できる」（以下，「周知技術１」という。）
　は周知である。
（３）原査定の拒絶の理由に引用された，特開２００５−７２８０５号公報（以下，「引用例２」という。）には，次の事項が記載されている。
「【０００１】
　本発明は，通信装置等に用いられる，圧電薄膜共振子からなるフィルタを備えるデュプレクサに関するものである。」
「【００２４】
　〔実施の形態１〕
　本発明の実施の一形態について，図１ないし図５に基づいて説明すれば，以下の通りである。
【００２５】
　
本実施の形態にかかるデュプレクサは，図１および図２に示すように，送信側端子Ｔｘ，受信側端子Ｒｘ，アンテナ端子ＡＮＴを備えている。上記デュプレクサは，アンテナ端子ＡＮＴと送信側端子Ｔｘとの間に設けられた送信側フィルタチップ（送信側フィルタ）Ｆ２，およびアンテナ端子ＡＮＴと受信側端子Ｒｘとの間に設けられた受信側フィルタチップ（受信側フィルタ）Ｆ１を備えている。
【００２６】
　
上記受信側フィルタチップＦ１は，長方形の基板１０上に，受信側フィルタ入力パッド（受信側フィルタ入力端子）Ａ１と，受信側フィルタ出力パッド（受信側フィルタ出力端子）Ａ２との間に直列共振子１１と並列共振子１２とをラダー型に備えている。
「【００４４】
　また，図５に示すように，例えば
受信側フィルタＦ１と，ＡＮＴとの間に，コンデンサＣおよびインダクタＬ等からなる整合回路をパッケージ１内に形成しても，実装基板に内蔵しても，実装基板上にチップＣ，Ｌを実装してもよい。
　上記によれば，引用例２には，
「送信側端子Ｔｘ，受信側端子Ｒｘ，アンテナ端子ＡＮＴを備え，アンテナ端子ＡＮＴと送信側端子Ｔｘとの間に設けられた送信側フィルタチップ（送信側フィルタ）Ｆ２，およびアンテナ端子ＡＮＴと受信側端子Ｒｘとの間に設けられた受信側フィルタチップ（受信側フィルタ）Ｆ１を備えているデュプレクサにおいて，
　受信側フィルタチップＦ１は，長方形の基板１０上に，受信側フィルタ入力パッド（受信側フィルタ入力端子）Ａ１と，受信側フィルタ出力パッド（受信側フィルタ出力端子）Ａ２との間に直列共振子１１と並列共振子１２とをラダー型に備えており，
　受信側フィルタＦ１と，ＡＮＴとの間に，コンデンサＣおよびインダクタＬ等からなる整合回路をパッケージ１内に形成しても，実装基板に内蔵しても，実装基板上にチップＣ，Ｌを実装してもよい
　デュプレクサ。」
　が記載されている。
（４）特開２０１２−８０１６０号公報（以下，「周知例２」という。）には，
「【００２７】
　上記の
各整合回路ＭＮ１〜ＭＮ８は，インダクタやコンデンサからなるものであって，多層基板内に電極パターンで形成することもできるし，チップインダクタ素子，チップコンデンサ素子などを用いても良い。
　これらの整合回路は，第１，第２のローパスフィルタ回路のインダクタ用電極パターンと，積層方向に重なり合わないように構成されることが好ましい。」
　の記載があるから，周知例２には，「インダクタやコンデンサからなる整合回路は多層基板内に電極パターンで形成することも，チップ素子を用いても良いこと」が記載されている。
（５）したがって，引用例２，周知例２によれば，
「インダクタやコンデンサからなる整合回路は，多層基板内に電極パターンで形成することも，チップ素子を用いても良いこと」（以下，「周知技術２」という。）
　は周知である。
（６）原査定の拒絶の理由に引用された，国際公開第２０１５／０９８７５６号（以下，「引用例３」という。）には，次の事項が記載されている。
「[0002]　下記の特許文献１には，支持基板上に，高音速膜，低音速膜，ＬｉＴａＯ３膜及びＩＤＴ電極をこの順序で積層してなる弾性波装置が開示されている。特許文献１では，ＬｉＴａＯ３膜を伝搬するリーキー波が用いられている。」
（７）原査定の拒絶の理由に引用された，国際公開第２０１６／０５２１２９号（以下，「引用例４」という。）には，次の事項が記載されている。
「[0061]　図１０は，第５の実施形態に係る弾性波装置の正面断面図である。弾性波装置７１は，第２の空洞部及び音響反射膜を有しない。本実施形態の圧電基板５は，ＬｉＴａＯ３（ＬＴ）からなる。弾性波装置７１は，リーキー波を利用している。もっとも，圧電基板５はＬｉＴａＯ３以外の圧電単結晶からなっていてもよい。また，リーキー波以外の弾性波を用いてもよい。」
（８）したがって，引用例３，４によれば，
「ＬｉＴａＯ３の圧電基板を用いる弾性波装置においてリーキー波を利用していること」（以下，「周知技術３」という。）
　は周知である。
（９）原査定の拒絶の理由に引用された，国際公開第２０１５／０２５６５１号（以下，「引用例５」という。）には，次の事項が記載されている。
「[0009]　本発明に係るチューナブルフィルタは，圧電共振子と，上記圧電共振子に接続された帯域拡張用インダクタンスと，上記圧電共振子に接続された可変キャパシタンスと，を備え，ラブ波を利用しており，上記圧電共振子が，ＬｉＮｂＯ３基板と，ＬｉＮｂＯ３基板上に設けられたＩＤＴ電極とを有し，通過帯域および減衰域が，ＬｉＮｂＯ３基板を伝搬する遅い横波の音速を上記ＩＤＴ電極の周期で定まる波長により除算して得られた値よりも低周波域にある。」
（１０）原査定の拒絶の理由に引用された，特開昭６３−２６０２１３号公報（以下，「引用例６」という。）には，次の事項が記載されている。
「（産業上の利用分野）
　本発明はラブ波型ＳＡＷ共振子，殊にラブ波についての電気機械結合係数大なるカット角を用いたＬｉＮｂＯ３基板に金等の重い材料によるＩＤＴ電極を付着しＳＡＷを励起する共振子に関する。」（１頁右下欄１６行〜２頁左上欄１行）
（１１）したがって，引用例５，６によれば，
「ＬｉＮｂＯ３の圧電基板を用いる弾性波装置においてラブ波を利用していること」（以下，「周知技術４」という。）
　は周知である。
４．本願発明と引用発明の対比
　引用発明の「入力端子３」は，本願発明１の「共通端子」に相当する。
　引用発明は，「入力端子３に，第１のフィルタ１１と，第２のフィルタ１２とが接続され」ているから，「第１のフィルタ１１」と「第２のフィルタ１２」は「前記共通端子に接続された複数のフィルタ」であるといえる。
　引用発明の「第１のフィルタ１１」は通過帯域が相対的に低く，「第２のフィルタ１２」は通過帯域が相対的に高いから，引用発明の「第１のフィルタ１１」は本願発明の「第１通過帯域を有する第１のフィルタ」に，引用発明の「第２のフィルタ１２」は本願発明の「前記第１通過帯域よりも周波数が高い第２通過帯域を有する第２のフィルタ」に各々相当する。
　また，「第１のフィルタ１１」は，弾性表面波振動子による直列腕共振子と並列腕共振子を用いているから，「１以上の弾性表面波振動子で構成され」ているといえる。
　ここで，第１のフィルタ１１は，「送信側フィルタ」であるから，「入力端子３」は第１のフィルタ１１の出力端子として機能し，その反対側の端子は入力端子として機能する。第２のフィルタ１２は「受信側フィルタ」であるから，「入力端子３」は第２のフィルタ１２の入力端子として機能し，その反対側の端子は出力端子として機能する。
　引用発明のコンデンサＣ１１は，「入力端子３と直列腕共振子Ｓ１１との間」に接続されており，直列腕共振子Ｓ１１は，第１のフィルタを構成するものであるから，「共通端子と前記第１のフィルタとの接続経路に直列に配置されたコンデンサ」であるといえる。
　引用発明の「圧電基板３１」は，「ＬｉＴａＯ３基板」であり，「圧電基板として，ＬｉＮｂＯ３基板などが用いられてもよい」のであるから，「ＬｉＴａＯ３からなる圧電性の基板，又は，ＬｉＮｂＯ３からなる圧電性の基板」であるといえる。
　引用発明は，「入力端子３に，第１のフィルタ１１と，第２のフィルタ１２とが接続され」ているから，第１のフィルタ１１と第２のフィルタ１２は配線により接続されていることが明らかであり，かつ，「第１，第２のフィルタ１１，１２は，同一の３６度Ｘ伝搬のＬｉＴａＯ３基板を用いて，単一のチップ部品として構成され」ているから，「ＬｉＴａＯ３基板は，前記第１のフィルタ及び前記第２のフィルタを実装するとともに，前記第１のフィルタと前記第２のフィルタとを接続する配線を含んで」いるといえる。
　したがって，本願発明と引用発明は，
「共通端子，第１端子および第２端子を有し，前記共通端子に接続された複数のフィルタを備える回路であって，
　前記共通端子と前記第１端子との間に配置された１以上の弾性表面波共振子で構成され，第１通過帯域を有する第１のフィルタと，
　前記共通端子および前記第２端子に接続され，前記第１通過帯域よりも周波数が高い第２通過帯域を有する第２のフィルタと，
　前記共通端子と前記第１のフィルタとの接続経路に直列に配置されたコンデンサと，を備え，
　基板は，前記第１のフィルタおよび前記第２のフィルタを実装するとともに，前記第１のフィルタと前記第２のフィルタとを接続する配線を含んでおり，
　前記第１のフィルタの前記１以上の弾性表面波共振子では，ＬｉＴａＯ３からなる圧電性の基板，又は，ＬｉＮｂＯ３からなる圧電性の基板が利用される，
　回路。」
　で一致し，下記の点で相違する。
　相違点１
　本願発明は，基板及びコンデンサが，「多層基板内の複数層で形成されている，または，前記多層基板上に配置されたチップコンデンサであ」るのに対し，引用発明は，基板が多層基板であるか不明であって，どのようなコンデンサであるか限定されていない点。
　相違点２
　本願発明は，弾性表面波共振器が，「ＬｉＴａＯ３からなる圧電性の基板を伝搬するリーキー波が弾性表面波として利用される，又は，ＬｉＮｂＯ３からなる圧電性の基板を伝搬するラブ波が弾性表面波として利用される」のに対し，引用発明は，ＬｉＴａＯ３基板により構成されている圧電基板３１，又はＬｉＮｂＯ３からなる圧電性の基板上にＩＤＴ電極を形成した構造を有しているが，どのような波が利用されているか不明である点。
　相違点３
　本願発明は，マルチプレクサであって，第１端子が第１入出力端子であり，第２端子が第２入出力端子であるのに対し，引用発明は，デュプレクサであって，第１端子が入力端子であり，第２端子が出力端子である点。
５．当審の判断
　上記相違点について検討する。
　相違点１について
　基板として多層基板を用いることは文献を挙げるまでもない周知技術であり，「インダクタやコンデンサからなる整合回路は，多層基板内に電極パターンで形成することも，チップ素子を用いても良いこと」は周知技術２として周知であるから，引用発明の整合回路であるコンデンサＣ１１を多層基板内の複数層で形成されている，または，前記多層基板上に配置されたチップコンデンサとすることは，当業者が容易に想到しうるものである。
　相違点２について
　弾性表面波においてＬｉＴａＯ３基板を用いてリーキー波を利用した共振器，ＬｉＮｂＯ３基板を用いてラブ波を用いた共振器は，いずれも周知技術３，４として周知であるから，引用発明のＬｉＴａＯ３基板を用いた弾性表面波共振器において，リーキー波が弾性表面波として利用されること，ＬｉＮｂＯ３基板を用いた弾性表面波共振器において，ラブ波が弾性表面波として利用されること，は当業者が容易に想到しうることである。
　相違点３について
　送信信号と受信信号とをフィルタにより分波するデュプレクサなどに用いられるフィルタ装置は，２つ以上の信号を分波するマルチプレクサや，送信信号同士，あるいは受信信号同士をフィルタにより分波するダイプレクサにも適用できることは，周知技術１として周知であるから，引用発明をマルチプレクサに用い，送信フィルタの端子と受信フィルタの端子を，それぞれ送信信号や受信信号を送受信する送受信端子とすることは当業者が容易に想到しうることである。
　そして，本願発明のように構成したことによる効果も引用発明及び周知技術から予測できる範囲のものである。
　したがって，本願発明は，引用発明及び周知技術に基づいて容易に発明をすることができたものである。
６．むすび
　以上のとおり，本願発明は，引用発明及び周知技術に基づいて，当業者が容易に発明をすることができたものであるから，特許法第２９条第２項の規定により特許を受けることができない。
　よって，結論のとおり審決する。